(57)【要約】【課題】収納繰出部から繰り出された紙葉類の反りに起因する不具合を抑制することができる紙葉類処理装置およびこのような紙葉類処理装置を用いた紙葉類処理方法を提供する。【解決手段】紙葉類処理装置（例えば、紙幣処理装置２０）は、紙葉類が回転体（具体的には、ドラム２５ａ）に巻き取られることにより紙葉類が収納されるとともに回転体に巻き取られている紙葉類が当該回転体から繰り出し可能となっている収納繰出部２５と、収納繰出部２５から繰り出された紙葉類を搬送する搬送部２３と、搬送部２３により搬送される紙葉類の反りを矯正するための反り矯正機構７０と、反り矯正機構７０を通過した紙葉類が積層状態で集積される集積部（例えば、紙幣回収袋３４）と、を備えている。【選択図】図２
2018142204.tif 000002
【特許請求の範囲】
【請求項１】
紙葉類が回転体に巻き取られることにより紙葉類が収納されるとともに前記回転体に巻き取られている紙葉類が当該回転体から繰り出し可能となっている収納繰出部と、
前記収納繰出部から繰り出された紙葉類を搬送する搬送部と、
前記搬送部に設けられ、当該搬送部により搬送される紙葉類の反りを矯正するための反り矯正機構と、
前記搬送部に接続され、前記反り矯正機構を通過した紙葉類が積層状態で集積される集積部と、
を備えた、紙葉類処理装置。
【請求項２】
前記紙葉類処理装置による紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整する制御部を更に備えた、請求項１記載の紙葉類処理装置。
【請求項３】
前記制御部は、前記搬送部による紙葉類の搬送速度を変えることにより前記反り矯正機構による紙葉類の反りの矯正の度合いを調整するようになっている、請求項２記載の紙葉類処理装置。
【請求項４】
前記制御部は、前記反り矯正機構の状態を変えることによって当該反り矯正機構による紙葉類の反りの矯正の度合いを調整するようになっている、請求項２記載の紙葉類処理装置。
【請求項５】
前記反り矯正機構は、前記搬送部により搬送される紙葉類に対して接離する反り矯正部材を有し、前記制御部は、前記反り矯正部材の位置を変えることにより前記反り矯正機構の状態を変えるようになっている、請求項４記載の紙葉類処理装置。
【請求項６】
前記反り矯正部材は、前記搬送部により搬送される紙葉類と最近接する動作位置と、当該搬送部により搬送される紙葉類の反りの矯正を行わない退避位置との間で移動するようになっており、
前記制御部は、前記反り矯正部材を前記動作位置と前記退避位置とのいずれかの位置に移動させることにより、紙葉類の反り矯正の実施または非実施の制御を行う、請求項５記載の紙葉類処理装置。
【請求項７】
前記収納繰出部における紙葉類の収納状態は、前記回転体の回転軸心から収納されている紙葉類までの距離に基づく状態を含む、請求項２乃至６のいずれか一項に記載の紙葉類処理装置。
【請求項８】
前記制御部は、前記収納繰出部に収納されている紙葉類について前記回転体の前記回転軸心から収納されている紙葉類までの距離が所定の閾値よりも小さくなると前記反り矯正機構による紙葉類の反りの矯正の度合いを大きくするようになっている、請求項７記載の紙葉類処理装置。
【請求項９】
前記収納繰出部における紙葉類の収納状態は、紙葉類が前記収納繰出部に収納されていた時間に基づく状態を含む、請求項２乃至６のいずれか一項に記載の紙葉類処理装置。
【請求項１０】
紙葉類の特徴は、紙葉類の金種、短手寸法、長手寸法、厚み、材質のうち、少なくともいずれか１つの要素を含む、請求項２乃至６のいずれか一項に記載の紙葉類処理装置。
【請求項１１】
前記集積部は、回収されるべき紙葉類が集積される回収部、筐体の内部から外部に紙葉類を投出するための投出部、および帯封媒体により帯封されるべき紙葉類が一時的に集積される帯封用一時保留部のうち少なくともいずれかのものである、請求項１乃至１０のいずれか一項に記載の紙葉類処理装置。
【請求項１２】
紙葉類の回収処理が行われる際に、前記収納繰出部から前記搬送部に繰り出された紙葉類は前記反り矯正機構を通過した後に前記回収部に送られるようになっている、請求項１１記載の紙葉類処理装置。
【請求項１３】
前記回収部は、装置本体に対して着脱可能となっている回収袋または回収カセットである、請求項１１または１２記載の紙葉類処理装置。
【請求項１４】
筐体の外部から内部に紙葉類を投入するための投入部を更に備え、
前記投入部は、前記搬送部に接続されており、
前記投入部により前記筐体の外部から内部に投入された紙葉類は前記搬送部により前記収納繰出部または前記集積部に送られるようになっており、
前記反り矯正機構は、前記搬送部における前記収納繰出部と前記集積部との間の箇所に設けられている、請求項１乃至１３のいずれか一項に記載の紙葉類処理装置。
【請求項１５】
前記紙葉類処理装置による紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整する制御部を更に備え、
前記制御部は、前記紙葉類処理装置による紙葉類の処理内容として、前記投入部により前記筐体の内部に投入された紙葉類を前記搬送部により搬送する場合よりも、前記収納繰出部から繰り出された紙葉類を前記搬送部により搬送する場合の方が紙葉類の反りの矯正の度合いが大きくなるよう、前記反り矯正機構による紙葉類の反りの矯正の度合いを調整する、請求項１４記載の紙葉類処理装置。
【請求項１６】
収納繰出部の回転体に巻き取られている紙葉類を当該回転体から繰り出す工程と、
前記収納繰出部から繰り出された紙葉類を搬送部により搬送する工程と、
前記搬送部により搬送される紙葉類の反りを反り矯正機構により矯正する工程と、
前記反り矯正機構を通過した紙葉類を集積部に積層状態で集積させる工程と、
を備えた、紙葉類処理方法。
【請求項１７】
紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整する、請求項１６記載の紙葉類処理方法。
【発明の詳細な説明】
【技術分野】
【０００１】
本発明は、紙幣等の紙葉類の処理を行う紙葉類処理装置およびこのような紙葉類処理装置による紙葉類処理方法に関する。
【背景技術】
【０００２】
従来から、紙幣等の紙葉類の処理を行う紙葉類処理装置として様々なタイプのものが用いられている。具体的には、特許文献１に開示される紙葉類処理装置では、紙葉類を収納するとともに収納されている紙葉類を１枚ずつ繰り出す収納繰出部として、複数の紙葉類を１枚ずつ巻き取るための帯状の巻取部材の一端がその外周面に接続されたドラムを有するものが用いられている。このような収納繰出部では、紙葉類が巻取部材によりドラムに巻き取られることにより紙葉類が収納されるとともに巻取部材がドラムから巻き戻されることにより収納されている紙葉類がドラムから繰り出されるようになっている。特許文献１に開示される紙葉類処理装置では、紙葉類の入金処理が行われる際に、投入部により筐体の外部から内部に投入された紙葉類が収納繰出部に収納されるようになっている。また、紙葉類の出金処理が行われる際に、収納繰出部から繰り出された紙葉類が投出部により筐体の内部から外部に投出されるようになっている。また、特許文献１に開示される紙葉類処理装置では、紙葉類を収納するパウチ袋が装置本体に対して着脱自在に取り付けられるようになっており、紙葉類の回収処理が行われる際に、パウチ袋が装置本体に取り付けられた後、収納繰出部から繰り出された紙葉類がパウチ袋に送られるようになっている。このようにして、パウチ袋に収納された紙葉類をパウチ袋ごと回収することができるようになる。
【先行技術文献】
【特許文献】
【０００３】
【特許文献１】特開２０１２−１７４１３４号公報
【発明の概要】
【発明が解決しようとする課題】
【０００４】
特許文献１に開示されるような従来の紙葉類処理装置では、収納繰出部において紙葉類が巻取部材によりドラムに巻き取られることにより紙葉類が収納されるようになっているため、収納繰出部において紙葉類は反った状態で収納されるようになる。このため、収納繰出部から繰り出された紙葉類にも反り癖が残るようになり、この場合には当該紙葉類をパウチ袋の内部に積層状態で集積させる際に紙葉類の反り癖により集積不良が生じてしまうおそれがある。
【０００５】
本発明は、このような点を考慮してなされたものであり、収納繰出部から繰り出された紙葉類の反りに起因する不具合を抑制することができる紙葉類処理装置および紙葉類処理方法を提供することを目的とする。
【課題を解決するための手段】
【０００６】
本発明の紙葉類処理装置は、紙葉類が回転体に巻き取られることにより紙葉類が収納されるとともに前記回転体に巻き取られている紙葉類が当該回転体から繰り出し可能となっている収納繰出部と、前記収納繰出部から繰り出された紙葉類を搬送する搬送部と、前記搬送部に設けられ、当該搬送部により搬送される紙葉類の反りを矯正するための反り矯正機構と、前記搬送部に接続され、前記反り矯正機構を通過した紙葉類が積層状態で集積される集積部と、を備えたことを特徴とする。
【０００７】
このような紙葉類処理装置によれば、収納繰出部において紙葉類が収納される際に回転体に巻き取られることによって当該紙葉類に反り癖がついた場合でも、収納繰出部から繰り出された紙葉類の反りを反り矯正機構によって矯正することにより、集積部において紙葉類の集積不良が生じてしまうことを抑制することができる。
【０００８】
また、本発明の紙葉類処理装置は、前記紙葉類処理装置による紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整する制御部を更に備えていてもよい。
【０００９】
この場合、前記制御部は、前記搬送部による紙葉類の搬送速度を変えることにより前記反り矯正機構による紙葉類の反りの矯正の度合いを調整するようになっていてもよい。
【００１０】
あるいは、前記制御部は、前記反り矯正機構の状態を変えることによって当該反り矯正機構による紙葉類の反りの矯正の度合いを調整するようになっていてもよい。
【００１１】
また、前記反り矯正機構は、前記搬送部により搬送される紙葉類に対して接離する反り矯正部材を有し、前記制御部は、前記反り矯正部材の位置を変えることにより前記反り矯正機構の状態を変えるようになっていてもよい。
【００１２】
また、前記反り矯正部材は、前記搬送部により搬送される紙葉類と最近接する動作位置と、当該搬送部により搬送される紙葉類の反りの矯正を行わない退避位置との間で移動するようになっており、前記制御部は、前記反り矯正部材を前記動作位置と前記退避位置とのいずれかの位置に移動させることにより、紙葉類の反り矯正の実施または非実施の制御を行うようになっていてもよい。
【００１３】
本発明の紙葉類処理装置においては、前記収納繰出部における紙葉類の収納状態は、前記回転体の回転軸心から収納されている紙葉類までの距離に基づく状態を含んでいてもよい。
【００１４】
この場合、前記制御部は、前記制御部は、前記収納繰出部に収納されている紙葉類について前記回転体の前記回転軸心から収納されている紙葉類までの距離が所定の閾値よりも小さくなると前記反り矯正機構による紙葉類の反りの矯正の度合いを大きくするようになっていてもよい。
【００１５】
また、本発明の紙葉類処理装置においては、前記収納繰出部における紙葉類の収納状態は、紙葉類が前記収納繰出部に収納されていた時間に基づく状態を含んでいてもよい。この場合、紙葉類が前記収納繰出部に収納されていた時間は、前記紙葉類処理装置による紙葉類の処理内容、前記紙葉類処理装置による紙葉類の取引内容、紙葉類が前記収納繰出部に収納された日時に係る情報のうち少なくともいずれか１つの要素から導出されるようになっていてもよい。
【００１６】
また、紙葉類の特徴は、紙葉類の金種、短手寸法、長手寸法、厚み、材質のうち、少なくともいずれか１つの要素を含んでいてもよい。
【００１７】
本発明の紙葉類処理装置においては、前記集積部は、回収されるべき紙葉類が集積される回収部、筐体の内部から外部に紙葉類を投出するための投出部、および帯封媒体により帯封されるべき紙葉類が一時的に集積される帯封用一時保留部のうち少なくともいずれかのものであってもよい。
【００１８】
この場合、紙葉類の回収処理が行われる際に、前記収納繰出部から前記搬送部に繰り出された紙葉類は前記反り矯正機構を通過した後に前記回収部に送られるようになっていてもよい。
【００１９】
また、前記回収部は、装置本体に対して着脱可能となっている回収袋または回収カセットであってもよい。
【００２０】
また、本発明の紙葉類処理装置は、筐体の外部から内部に紙葉類を投入するための投入部を更に備え、前記投入部は、前記搬送部に接続されており、前記投入部により前記筐体の外部から内部に投入された紙葉類は前記搬送部により前記収納繰出部または前記集積部に送られるようになっており、前記反り矯正機構は、前記搬送部における前記収納繰出部と前記集積部との間の箇所に設けられていてもよい。
【００２１】
この場合、前記紙葉類処理装置による紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整する制御部を更に備え、前記制御部は、前記紙葉類処理装置による紙葉類の処理内容として、前記投入部により前記筐体の内部に投入された紙葉類を前記搬送部により搬送する場合よりも、前記収納繰出部から繰り出された紙葉類を前記搬送部により搬送する場合の方が紙葉類の反りの矯正の度合いが大きくなるよう、前記反り矯正機構による紙葉類の反りの矯正の度合いを調整するようになっていてもよい。
【００２２】
本発明の紙葉類処理方法は、収納繰出部の回転体に巻き取られている紙葉類を当該回転体から繰り出す工程と、前記収納繰出部から繰り出された紙葉類を搬送部により搬送する工程と、前記搬送部により搬送される紙葉類の反りを反り矯正機構により矯正する工程と、前記反り矯正機構を通過した紙葉類を集積部に積層状態で集積させる工程と、
を備えたことを特徴とする。
【００２３】
このような紙葉類処理方法によれば、収納繰出部において紙葉類が収納される際に回転体に巻き取られることによって当該紙葉類に反り癖がついた場合でも、収納繰出部から繰り出された紙葉類の反りを反り矯正機構によって矯正することにより、集積部において紙葉類の集積不良が生じてしまうことを抑制することができる。
【００２４】
また、本発明の紙葉類処理方法においては、紙葉類の処理内容、前記収納繰出部における紙葉類の収納状態および前記収納繰出部から繰り出された紙葉類の特徴のうち少なくともいずれかの情報に基づいて、前記反り矯正機構による紙葉類の反りの矯正の度合いを調整するようになっていてもよい。
【発明の効果】
【００２５】
本発明の紙葉類処理装置および紙葉類処理方法によれば、収納繰出部から繰り出された紙葉類の反りに起因する不具合を抑制することができる。
【図面の簡単な説明】
【００２６】
【図１】本発明の一の実施の形態における貨幣処理機の外観を示す斜視図である。
【図２】図１に示す貨幣処理機における紙幣処理装置の内部構成を示す側面図である。
【図３】図２に示す紙幣処理装置に設けられた反り矯正機構の構成を示す構成図である。
【図４】（ａ）（ｂ）は、それぞれ、図３に示す反り矯正機構により反り癖を有する紙幣の反りが矯正される前後の状態を説明するための説明図である。
【図５】図２に示す紙幣処理装置における紙幣収納機構の構成の詳細を示す側面図である。
【図６】図５に示す紙幣収納機構における一対の保持部材等の構成を示す斜視図である。
【図７】図５等に示す紙幣収納機構において各保持部材により保持されるべき紙幣回収袋の構成を示す斜視図である。
【図８】図２等に示す紙幣処理装置の制御系の構成を示す機能ブロック図である。
【図９】本実施の形態による紙幣処理装置の他の例の内部構成を示す側面図である。
【図１０】本実施の形態による紙幣処理装置の更に他の例の内部構成を示す側面図である。
【図１１】本実施の形態による紙幣処理装置の更に他の例の内部構成を示す側面図である。
【図１２】本実施の形態による紙幣処理装置の更に他の例の内部構成を示す側面図である。
【図１３】本実施の形態による紙幣処理装置の更に他の例の内部構成を示す側面図である。
【図１４】図１３に示す例の紙幣処理装置における紙幣収納カセットの構成を示す構成図である。
【図１５】搬送部の形状により紙幣の反りを矯正するときの態様を説明するための説明図である。
【発明を実施するための形態】
【００２７】
以下、本発明の各々の実施の形態において、本発明に係る紙葉類処理装置として紙幣の処理を行う紙幣処理装置が用いられる場合について説明する。また本実施の形態では、紙幣処理装置および硬貨処理装置が組み合わせられた貨幣処理機についても説明する。
【００２８】
図１乃至図１５は、本実施の形態に係る紙幣処理装置およびこの紙幣処理装置を備えた貨幣処理機を示す図である。このうち、図１は、本発明の一の実施の形態における貨幣処理機の外観を示す斜視図であり、図２は、図１に示す貨幣処理機における紙幣処理装置の内部構成を示す構成図である。また、図３は、図２に示す紙幣処理装置に設けられた反り矯正機構の構成を示す構成図である。また、図４（ａ）（ｂ）は、それぞれ、図３に示す反り矯正機構により反り癖を有する紙幣の反りが矯正される前後の状態を説明するための説明図である。また、図５乃至図８は、図２に示す紙幣処理装置に設けられた紙幣収納機構の構成を示す図である。また、図９乃至図１３は、本実施の形態による紙幣処理装置の他の様々な例の内部構成を示す側面図であり、図１４は、図１３に示す例の紙幣処理装置における紙幣収納カセットの構成を示す構成図である。また、図１５は、搬送部の形状により紙幣の反りを矯正するときの態様を説明するための説明図である。なお、図３、図４および図１４において、本実施の形態による紙幣処理装置により処理される紙幣を参照符号Ｐで示す。また、図４において、反り矯正機構により紙幣につけられる折り目等の癖を参照符号Ｑで示す。
【００２９】
まず、図１を用いて本発明の一の実施の形態における貨幣処理機１の構成について説明する。一般的に、スーパーマーケット等の店舗では、店員が顧客との間で実際にやりとりした貨幣を入出金するフロント領域と、フロント領域の貨幣や商品を管理するバックヤード領域とに区分けされており、フロント領域には一または複数の貨幣精算機（例えば、貨幣釣銭機）が設置されているとともに、バックヤード領域には図１に示すような貨幣処理機１が設置されている。ここで、貨幣精算機は、店員によって操作されるようになっており、店員と顧客との間の精算処理が当該貨幣精算機によって行われる。例えば、貨幣精算機は、顧客が支払った代金を入金したり、顧客へ支払う釣銭を出金したりするようになっている。また、貨幣処理機１は、貨幣精算機へ装填するための釣銭準備金を出金したり、貨幣精算機から回収した売上金を入金したりするようになっている。そして、貨幣精算機および貨幣処理機１にそれぞれ着脱可能となっている貨幣収納カセット（具体的には、紙幣収納カセット２１ｃ（後述））により、貨幣精算機と貨幣処理機１との間で貨幣の授受を行うようになっている。なお、貨幣収納カセットは、貨幣精算機や貨幣処理機１から離脱しているときには当該貨幣収納カセット内に収納された貨幣を取り出せないようになっている。
【００３０】
図１に示すように、バックヤード領域に設置される貨幣処理機１は、紙幣処理装置２０および硬貨処理装置９０を備えている。紙幣処理装置２０は、フロント領域に設置された貨幣精算機へ装填する紙幣を出金したり、貨幣精算機から回収した紙幣を入金したりするようになっている。また、硬貨処理装置９０は、フロント領域に設置された貨幣精算機へ装填する硬貨を出金したり、貨幣精算機から回収した硬貨を入金したりするようになっている。
【００３１】
次に、図１および図２を用いて紙幣処理装置２０の構成について説明する。なお、図２における筐体２０ａ（後述）の右側の側面が紙幣処理装置２０の前面側（すなわち、図１に示すように紙幣処理装置２０を手前側から見たときの正面側）となっており、図２における左方向が筐体２０ａの奥行き方向となっている。
【００３２】
図１に示すように、紙幣処理装置２０は、筐体２０ａと、投入部２１と、投出部２２と、操作表示部２９とを備えており、投入部２１には、紙幣受入ユニット２１ａが着脱自在に装着されている。ここで、紙幣受入ユニット２１ａは、紙幣処理装置２０の外部から紙幣を受け入れて１枚ずつ紙幣繰出機構２１ｂにより筐体２０ａの内部に繰り出すようになっている。このような紙幣受入ユニット２１ａは、操作者（すなわち、店員）が紙幣処理装置２０へ紙幣を手動で入金する場合に用いられるようになっている。また、投入部２１には、紙幣受入ユニット２１ａの代わりに、上述した貨幣収納カセット（具体的には、紙幣収納カセット２１ｃ（図２参照））を装着することができるようになっている。この場合には、紙幣収納カセット２１ｃが投入部２１に装着されたときに、この紙幣収納カセット２１ｃの内部に設けられた繰出機構により紙幣収納カセット２１ｃ内の紙幣が１枚ずつ筐体２０ａの内部に繰り出されるようになっている。また、投出部２２は、収納繰出部２５（後述）から繰り出された紙幣を積層状態で集積するようになっており、投出部２２に集積された紙幣は、筐体２０ａの外部からアクセスすることができるようになっている。また、本実施の形態による紙幣処理装置２０においては、投出部２２は、本発明に係る集積部として機能するようになっている。
【００３３】
また、操作表示部２９は、貨幣処理機１における紙幣や硬貨の収納状態等の様々な情報を表示するとともに、操作者がデータを入力することができるように構成されている。操作表示部２９は、例えばタッチパネル式のディスプレイ等から構成されている。なお、操作表示部２９は、紙幣処理装置２０または硬貨処理装置９０のいずれか一方に設けられ、それらの両方の情報を表示するために共通に用いられるようになっている。
【００３４】
図２に示すように、紙幣処理装置２０の筐体２０ａの内部には紙幣を１枚ずつ搬送する搬送部２３が設けられており、この搬送部２３の端部２３ａに上述した投入部２１が接続されている。そして、紙幣受入ユニット２１ａが投入部２１に装着されたときに、当該紙幣受入ユニット２１ａから繰り出された紙幣は搬送部２３の端部２３ａを介して当該搬送部２３により搬送されるようになっている。
【００３５】
図２に示すように、搬送部２３には識別部２４が設けられており、この識別部２４によって、搬送部２３により搬送される紙幣の金種、正損、真偽等の識別を行うようになっている。具体的には、識別部２４はイメージセンサや磁気センサ、厚みセンサ等を有している。より詳細には、例えば、イメージセンサは搬送部２３を搬送される紙幣を撮像するようになっており、撮像された紙幣の画像に基づいて当該紙幣に係る情報の識別を行うようになっている。また、撮像された画像や磁気センサによる検知結果等に基づいて、搬送部２３により搬送される紙幣の短手寸法（すなわち、紙幣の短手方向における長さ）、長手寸法（すなわち、紙幣の長手方向における長さ）、材質（紙またはポリマー等）、印刷状態（例えば、紙幣の印刷に用いられているインクの過不足）等についても検知されるようになっている。また、識別部２４は、搬送部２３により搬送される紙幣が例えばハイブリッド紙幣（例えば、紙からなる紙幣の一部にポリマーフィルムが貼り付けられた紙幣や、紙幣の短手方向に沿って直線状に延びるポリマーフィルムを一対の紙片により挟むことにより形成された紙幣）等の複数の材質を含む紙幣である場合には、金種、正損、真偽等ならびに寸法および材質だけでなく、ポリマーフィルムの位置および幅等についても検知するようになっている。また、識別部２４は、当該識別部２４を通過する紙幣の厚みについても検知するようになっている。また、識別部２４は、不正行為（例えば、紙幣の偽造等）を防止するために金属線等が埋め込まれた紙幣である場合には、金種、正損、真偽等ならびに寸法および材質だけでなく、埋め込まれた金属線の位置、本数、幅等についても検知するようになっている。また、識別部２４により識別された紙幣についての上記の情報は制御部５０（後述）に送られるようになっている。
【００３６】
なお、紙幣の金種と、紙幣の材質やポリマーフィルムの位置および幅等とを対応付けて予め記憶部５２（後述）に記憶させておくことにより、識別部２４により識別された紙幣の金種に基づいて、制御部５０により紙幣の材質やポリマーフィルムの位置および幅等が判定されるようになっていてもよい。
【００３７】
また、図２に示すように、紙幣処理装置２０には、機外リジェクト部２７および機内リジェクト部２８がそれぞれ設けられている。ここで、機外リジェクト部２７には、投入部２１により筐体２０ａ内に投入された紙幣のうち識別部２４により正常な紙幣ではないと識別された紙幣がリジェクト紙幣として搬送部２３から送られるようになっており、この機外リジェクト部２７によりリジェクト紙幣を紙幣処理装置２０の外部に投出するようになっている。一方、機内リジェクト部２８には、紙幣処理装置２０の外部に投出することのできないようなリジェクト紙幣が搬送部２３から送られるようになっており、この機内リジェクト部２８にリジェクト紙幣を収納するようになっている。そして、店員等の管理権限のない操作者は機内リジェクト部２８内の紙幣を取り出すことはできないようになっている。
【００３８】
また、筐体２０ａの内部には複数の収納繰出部２５が設けられており、各収納繰出部２５はそれぞれ搬送部２３に接続されている。各収納繰出部２５は、紙幣を金種別に収納するようになっている。より詳細には、識別部２４による識別結果に基づいて、投入部２１から搬送部２３に繰り出された紙幣は当該搬送部２３により各収納繰出部２５に金種別に送られるようになっている。なお、各収納繰出部２５に割り当てられていない外貨等の紙幣が各収納繰出部２５に収納されるようになっていてもよい。また、ある金種の紙幣に対応する収納繰出部２５がフル状態であるために当該収納繰出部２５に収納できないオーバーフロー紙幣が他の各収納繰出部２５に収納されるようになっていてもよい。このような場合には、外貨やオーバーフロー紙幣が収納された各収納繰出部２５においては、紙幣はその金種等が混合した状態で収納されるようになる。
【００３９】
また、各収納繰出部２５は、当該収納繰出部２５に収納された紙幣を１枚ずつ搬送部２３に繰り出すことができるようになっている。具体的には、各収納繰出部２５として、複数の紙幣を１枚ずつ巻き取るための帯状の巻取部材２５ｂの一端がその外周面に接続され、回転軸心２５ｃを中心として回転する略円筒形状のドラム２５ａ（すなわち、回転体）を有するものが用いられている。また、紙幣が巻取部材２５ｂによりドラム２５ａに巻き取られることにより紙幣が収納されるとともに巻取部材２５ｂがドラム２５ａから巻き戻されることにより収納されている紙幣がドラム２５ａから繰り出されるようになっている。すなわち、各収納繰出部２５において、紙幣は反った状態で収納されるようになっている。このため、各収納繰出部２５から搬送部２３に繰り出された紙幣は反り癖を有するようになる。より詳細には、搬送部２３が紙幣を当該紙幣の長手方向に沿って搬送するようになっている場合には、各収納繰出部２５に収納される紙幣は、当該紙幣の長手方向と、ドラム２５ａの周方向とが略一致するように収納されるようになっている。このため、各収納繰出部２５から搬送部２３に繰り出された紙幣は、当該紙幣の長手方向に沿った反り癖を有するようになる（図４（ａ）参照）。ここで、反り癖を有する紙幣とは、例えば図４（ａ）に示すように、何らかの外力を与えない限り紙幣が湾曲した（反った）形状を保持したままである（癖を有する）紙幣のことをいう。また、このような紙幣の反り癖は、何らかの外力を与えることによってのみ矯正することができるようになっている。また、紙幣の反り癖が強い、とは、反り癖を有する紙幣の反り癖を矯正するためにこの紙幣に対してより大きな外力を加える必要があったり、より長い時間をかけて外力を加える必要がある性質のことをいう。なお、後述するように、各収納繰出部２５において、巻取部材２５ｂをドラム２５ａに巻き付けるときの巻き付け強さは、制御部５０により調整することができるようになっている。
【００４０】
また、本実施の形態による紙幣処理装置２０においては、筐体２０ａの内部には紙幣収納機構３２（図２参照）が設けられている。また、紙幣収納機構３２には、紙幣を積層状態で収納する紙幣回収袋３４（後述）が着脱自在に取付可能となっており、収納繰出部２５から搬送部２３を経て紙幣収納機構３２に送られた紙幣が紙幣回収袋３４内に積層状態で収納されるようになっている。また、紙幣回収袋３４は、本発明に係る回収部（集積部）として機能するようになっている。
【００４１】
なお、各収納繰出部２５に割り当てられていない金種の紙幣や、対応する金種の収納繰出部２５がフル状態のために収納できないオーバーフロー紙幣も紙幣回収袋３４内に収納されるようになっている。そして、紙幣収納機構３２から紙幣回収袋３４を取り出すことにより、紙幣処理装置２０から紙幣回収袋３４ごと紙幣の回収を行うようになっている。このような紙幣収納機構３２の構成の詳細については後述する。
【００４２】
また、本実施の形態による紙幣処理装置２０においては、搬送部２３における紙幣収納機構３２の近傍には、搬送部２３により搬送される紙幣の反りを矯正するための反り矯正機構７０が設けられている。図３に示すように、反り矯正機構７０は、位置固定の軸７１に回転自在となるよう設けられた一対の下側ローラ７２と、軸７１に対して図３における上下方向に移動可能となっている軸７３に回転自在となるよう設けられた一対の上側ローラ７４（すなわち、反り矯正部材）とを有している。また、各下側ローラ７２および各上側ローラ７４は、図示しない駆動モータにより駆動されるようになっている。また、各下側ローラ７２は、当該下側ローラ７２の幅方向における中央近傍に溝部７２ａを有している。また、各上側ローラ７４と、各下側ローラ７２の各溝部７２ａとが紙幣の搬送路を挟んで対向するよう設けられているとともに、軸７１の軸線方向（すなわち、図３における左右方向）における溝部７２ａの幅の大きさは、各上側ローラ７４の幅よりも大きくなっている。このため、反り矯正機構７０は、当該反り矯正機構７０を通過する紙幣（図３において参照符号Ｐで表示）の一部の領域を上側ローラ７４により各下側ローラ７２の溝部７２ａの中に押し込むことができるようになる。このことにより、反り矯正機構７０は、各収納繰出部２５から搬送部２３に繰り出された紙幣に対して、折り目等の、反り癖とは異なる癖をつけることができ（図４（ｂ）参照）、よって紙幣の反りを矯正することができるようになる。
【００４３】
より詳細には、各収納繰出部２５から搬送部２３に繰り出された紙幣は、図４（ａ）に示すような反り癖（すなわち、紙幣の搬送方向（長手方向）に沿った反り癖）を有しているとともに、図４における左右方向（すなわち、紙幣の搬送方向（長手方向）に平行である方向）に搬送されるようになっている。反り矯正機構７０は、このような紙幣に対して当該紙幣の搬送方向（長手方向）に沿って折り目等の癖をつけることにより、紙幣の反りを矯正するようになっている。具体的には、図４（ａ）に示すような反り癖を有する紙幣は、反り矯正機構７０により図４（ｂ）に示すように折り目等の癖（図４（ｂ）において参照符号Ｑで表示）がつけられることにより反りが矯正されるようになっている。より詳細に説明すると、搬送部２３により搬送される紙幣は、当該搬送部２３の各構成部材によって挟持された状態において搬送されるようになっている。このため、搬送部２３により搬送される紙幣が反り癖を有するものであるか否かにかかわらず、搬送部２３により搬送されているときの紙幣の形状は、側方から（すなわち、図２における紙面に直交する方向から）見て平坦なものとなる。また、紙幣が側方から見て平坦な形状となるよう挟持されたまま搬送部２３により搬送されているときに、紙幣の搬送方向（長手方向）に沿った折り目等の癖をつけることにより、紙幣の搬送方向における曲げに対する剛性を高めることができるようになる。このことにより、反り矯正機構７０は、紙幣の反り癖を矯正することができるようになっている。
【００４４】
また、反り矯正機構７０には、各上側ローラ７４を図３に示す矢印の方向（すなわち、図３における上下方向）に一体的に移動させるための移動機構７５（図８参照）が設けられている。より詳細には、移動機構７５は、紙幣の反りを矯正するために当該紙幣に最近接する位置である動作位置と、紙幣の反りの矯正を行わない退避位置との間で、各上側ローラ７４を図３における上下方向に移動させるようになっている。このことにより、反り矯正機構７０を通過する紙幣に対して反りの矯正を行うか否かを制御することができるようになる。
【００４５】
なお、移動機構７５により、各上側ローラ７４の図３における上下方向における位置を調整することができるようになっていてもよい。この場合には、反り矯正機構７０は、当該反り矯正機構７０によって紙幣につけられる折り目等の癖（図４（ｂ）において参照符号Ｑで表示）の強さを調整することができるようになる。
【００４６】
また、本実施の形態による紙幣処理装置２０においては、搬送部２３により搬送される紙幣の搬送速度を調整することにより、反り矯正機構７０による紙幣の反りの矯正の度合いを調整することができるようになっている。より詳細には、搬送部２３による紙幣の搬送速度を低下させることにより、搬送部２３を搬送される紙幣はより長い時間をかけて反り矯正機構７０を通過するようになる。言い換えると、搬送部２３による紙幣の搬送速度を低下させることにより、反り矯正機構７０による紙幣の反りの矯正をより長い時間行うことができるようになる。このため、搬送部２３による紙幣の搬送速度を低下させることにより、反り矯正機構７０による紙幣の反りの矯正の度合いを大きくすることができるようになる。
【００４７】
次に、このような紙幣処理装置２０における紙幣収納機構３２の構成の詳細について図５乃至図７を用いて説明する。図５は、紙幣収納機構３２の構成の詳細を示す側面図であり、図６は、図５に示す紙幣収納機構３２における一対の保持部材３６等の構成を示す斜視図であり、図７は、図５等に示す紙幣収納機構３２において各保持部材３６により保持される紙幣回収袋３４の構成を示す斜視図である。
【００４８】
図５に示すように、紙幣送り出し部４８は、ローラやベルトを組み合わせたものからなり、搬送部２３から紙幣収納機構３２に送られた紙幣を１枚ずつ一時保留部４４上に送って当該一時保留部４４上に集積させるようになっている。一時保留部４４は左右一対のものからなり、各一時保留部４４の基端部分に設けられた軸４４ａを中心として各一時保留部４４は下方（すなわち、図５における矢印方向）にそれぞれ回転することができるようになっている。また、ステージ４０は左右一対のものからなり、各ステージ４０は図５における上下方向および左右方向にそれぞれ移動可能となっている。また、一対のステージ４０の間には隙間が形成されており、保持部材３６により保持される紙幣回収袋３４の一部はこの隙間を通って各ステージ４０から下方に延びるようになっている。なお、各ステージ４０は電動アクチュエータ等のステージ駆動部４１（図８参照）により駆動されるようになっている。また、各ステージ４０にはそれぞれ加熱部材４２が設けられている。そして、当該紙幣回収袋３４が紙幣収納機構３２から取り出される前に、一方のステージ４０（例えば、図５における左側のステージ４０）が他方のステージ４０（例えば、図５における右側のステージ４０）に向かって移動してこれらのステージ４０が互いに接合した状態で、加熱部材４２によって紙幣回収袋３４の底部近傍の箇所に熱が与えられることにより当該紙幣回収袋３４の底部がヒートシール（熱封止）されるようになっている。
【００４９】
また、図６に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接合させられるようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、当該左側の保持部材３６は右側の保持部材３６に向かって移動させられるようになる。
【００５０】
また、図６に示すように、左右一対の保持部材３６の上面には２つのピン３６ａが設けられている。ここで、図７に示すように、各保持部材３６により保持されるべき紙幣回収袋３４の開口近傍の箇所（すなわち、紙幣回収袋３４の上端部）には、それぞれ２つの開口３４ｂが設けられた一対の突出部３４ａが設けられており、紙幣回収袋３４が各保持部材３６により保持される際に、紙幣回収袋３４の各突出部３４ａに設けられた各開口３４ｂに各保持部材３６の各ピン３６ａが通されることにより、これらの突出部３４ａが各保持部材３６により保持されるようになっている。
【００５１】
また、図５に示すように、一対の一時保留部４４の上方には押し込み板４６が設けられている。当該押し込み板４６にはパンタグラフ４７が設けられており、このパンタグラフ４７が下方に伸びることによって押し込み板４６は図５に示す状態から下方に移動することができるようになっている。このような押し込み板４６が図５に示す状態から下方に移動することによって、各一時保留部４４に一時的に保留されている紙幣が紙幣回収袋３４に収納される際に、各一時保留部４４に残留してしまった紙幣を紙幣回収袋３４に向かって押し込むことができるようになる。
【００５２】
また、図５に示すように、一対の保持部材３６のうち左側の保持部材３６の下方には片寄せレバー３９が設けられており、当該片寄せレバー３９により、一対の保持部材３６により保持される紙幣回収袋３４に収納された紙幣が当該紙幣回収袋３４内で片側（具体的には、図５における右側）に寄せられるようになっている。より詳細には、片寄せレバー３９はパンタグラフや電動アクチュエータ等からなる片寄せレバー駆動部３９ａ（図８参照）により図５に示す状態から右側に移動させられるようになっている。
【００５３】
また、紙幣収納機構３２において、一対の保持部材３６により保持される紙幣回収袋３４の開口の近傍には、当該紙幣回収袋３４の内壁部分を撮像するためのカメラ等の撮像部６０が設けられている。ここで、各保持部材３６により保持される紙幣回収袋３４の内壁部分の開口近傍には目印３４ｃ（図５参照）が設けられており、撮像部６０によりこの目印３４ｃが撮像されるようになっている。また、撮像部６０の近傍には、各保持部材３６により保持される紙幣回収袋３４の内壁部分に光を照射する光源６２が設けられている。このような光源６２により紙幣回収袋３４の内壁部分に光が照射されることにより、撮像部６０は紙幣回収袋３４の内壁部分の開口近傍に形成される目印３４ｃを鮮明に撮像することができるようになる。
【００５４】
次に、紙幣収納機構３２において、搬送部２３から紙幣収納機構３２に送られた紙幣を一対の保持部材３６により保持されている紙幣回収袋３４に収納させる際の動作について簡単に説明する。
【００５５】
搬送部２３から紙幣収納機構３２に送られた紙幣は紙幣送り出し部４８により左右一対の一時保留部４４上に送られ、これらの一時保留部４４上に集積される。そして、所定の枚数の紙幣が各一時保留部４４上に集積されると、各一時保留部４４はその基端部分に設けられた軸４４ａを中心としてそれぞれ下方（すなわち、図５における矢印方向）に回転し、各一時保留部４４上に集積されている紙幣は自重によりこれらの一時保留部４４から落下して紙幣回収袋３４に収納されるようになる。また、各一時保留部４４から紙幣が落下して紙幣回収袋３４に収納されると、各ステージ４０がステージ駆動部４１により下方に移動させられ、次に各一時保留部４４から紙幣回収袋３４に送られる紙幣の収納空間が当該紙幣回収袋３４の内部に形成されるようになる。また、本実施の形態では、制御部５０は、各保持部材３６により保持される紙幣回収袋３４の内部に紙幣を送って当該紙幣回収袋３４に紙幣を収納させる際に、一時保留部４４に保留される紙幣を押し込み板４６により紙幣回収袋３４の内部に押し込むようパンタグラフ４７を制御するようになっている。このことにより、各一時保留部４４に紙幣が残留した場合でも、このような残留している紙幣を各一時保留部４４から落下させて紙幣回収袋３４に収納させることができるようになる。
【００５６】
また、各保持部材３６により保持される紙幣回収袋３４に紙幣が収納される際に、撮像部６０により紙幣回収袋３４の内壁部分に設けられた目印３４ｃが常に撮像されるようになっている。そして、紙幣回収袋３４に所定量の紙幣が収納され、撮像部６０により撮影される画像において紙幣回収袋３４に収納された紙幣によって目印３４ｃが遮られてこの目印３４ｃが撮像部６０により撮像されなくなると、制御部５０は当該紙幣回収袋３４がフル状態または二アフル状態になったと判断する。このように、撮像部６０により撮影される画像に基づいて紙幣回収袋３４に収納された紙幣の上端位置を検知することができるため、後述するように左側の保持部材３６が右側の保持部材３６に向かって移動して加熱部材３８により紙幣回収袋３４の開口をヒートシール（熱封止）する際に、紙幣回収袋３４に収納されている紙幣が各保持部材３６により挟まれてしまい当該紙幣回収袋３４の開口において未シール箇所が発生してしまうことを防止することができる。なお、押し込み板４６による一時保留部４４の押し込み動作に基づいて、紙幣回収袋３４がフル状態または二アフル状態になったことが制御部５０により判断されるようになっていてもよい。より詳細には、紙幣回収袋３４がフル状態またはニアフル状態である場合には、一時保留部４４の可動域（図５における矢印参照）の中に紙幣回収袋３４に収納された紙幣が存在するようになる。この場合には、一時保留部４４を押し込み板４６により紙幣回収袋３４に押し込んだときに一時保留部４４の端部が紙幣回収袋３４に収納された紙幣と接触するため、一時保留部４４を紙幣回収袋３４にそれ以上押し込むことができなくなる。このことに基づいて、紙幣回収袋３４がフル状態または二アフル状態になったことを判断することができるようになる。また、一時保留部４４が図５に示す位置よりも上方に設けられており、一時保留部４４の可動域の中に紙幣回収袋３４に収納された紙幣が存在することがない場合にも、押し込み板４６の押し込み動作に基づいて、紙幣回収袋３４がフル状態または二アフル状態になったことが制御部５０により判断されるようになっていてもよい。より詳細には、紙幣回収袋３４がフル状態またはニアフル状態である場合には、押し込み板４６により一時保留部４４に保留された紙幣を紙幣回収袋３４に押し込む際に、この押し込み板４６を紙幣回収袋３４に向かって動かすことのできる距離は、紙幣回収袋３４がフル状態またはニアフル状態ではない場合よりも短いものとなる。このことに基づいて、紙幣回収袋３４がフル状態または二アフル状態になったことを判断することができるようになる。
【００５７】
また、紙幣回収袋３４がフル状態またはニアフル状態になったと判断されると、当該紙幣回収袋３４は紙幣収納機構３２から取り出されるようになるが、紙幣収納機構３２から紙幣回収袋３４が取り出される前に、片寄せレバー駆動部３９ａによって片寄せレバー３９が図５における右方向に移動させられ、紙幣回収袋３４に収納されている紙幣は当該片寄せレバー３９により紙幣回収袋３４の外側から片側に寄せられるようになる。その後、片寄せレバー３９が元の位置に戻ると、紙幣回収袋３４の左側の内壁部分と、当該紙幣回収袋３４内で片側に寄せられた紙幣との間に隙間が形成されるようになる。片寄せレバー３９により、一対の保持部材３６により保持される紙幣回収袋３４に収納された紙幣が当該紙幣回収袋３４内で片側（具体的には、図５における右側）に寄せられた後、図５における左側のステージ４０が右側のステージ４０に向かって移動してこれらのステージ４０が互いに接合した状態で、加熱部材４２によって紙幣回収袋３４の底部近傍の箇所に熱が与えられることにより当該紙幣回収袋３４の底部がヒートシール（熱封止）される。その後、図５における左側の保持部材３６が右側の保持部材３６に向かって移動してこれらの保持部材３６が互いに接合した状態で、加熱部材３８によって紙幣回収袋３４の開口近傍の箇所に熱が与えられることにより当該紙幣回収袋３４の開口がヒートシール（熱封止）される。このことにより、操作者は開口および底部がそれぞれ封止された紙幣回収袋３４を紙幣収納機構３２から取り出すことができるようになる。
【００５８】
また、本実施の形態による紙幣処理装置２０には、当該紙幣処理装置２０の各構成部材の制御を行う制御部５０が設けられている。より詳細には、図８に示すように、制御部５０には、投入部２１に装着された紙幣受入ユニット２１ａに設けられている紙幣繰出機構２１ｂ、投出部２２に設けられた羽根車２２ａを駆動するための羽根車駆動部２２ｂ、搬送部２３、識別部２４、収納繰出部２５、操作表示部２９、紙幣収納機構３２（具体的には、パンタグラフ３７、加熱部材３８、片寄せレバー駆動部３９ａ、ステージ駆動部４１、加熱部材４２、一時保留部４４、パンタグラフ４７および紙幣送り出し部４８）、記憶部５２、印字部５４、通信インターフェース部５６、撮像部６０、光源６２、反り矯正機構７０（具体的には、移動機構７５）等がそれぞれ接続されている。そして、識別部２４による紙幣の識別結果や検知結果に係る信号や撮像部６０により撮像された画像が制御部５０に送られるとともに、制御部５０は紙幣処理装置２０の各構成部材に指令信号を送ることによりこれらの構成部材の動作を制御するようになっている。
【００５９】
また、記憶部５２には、識別部２４による紙幣の識別結果や検知結果に係る情報が記憶されるようになっている。また、記憶部５２には、紙幣処理装置２０における紙幣の入金処理等の処理履歴や、各紙幣回収袋３４に収納されている紙幣の在高等に関する情報が記憶されるようになっている。また、記憶部５２には、各紙幣回収袋３４の識別情報（ＩＤ）と、各紙幣回収袋３４に収納された紙幣の識別情報とが関連付けられて記憶されるようになっている。また、記憶部５２には、各収納繰出部２５のドラム２５ａの直径に係る情報、巻取部材２５ｂの厚みに係る情報および巻取部材２５ｂの巻き取り強さの設定に係る情報が記憶されるようになっている。また、記憶部５２には、各収納繰出部２５に収納されている全ての紙幣について、各々の紙幣が各収納繰出部２５に収納された順番と、収納された日時とが関連付けて記憶されるようになっている。
【００６０】
また、印字部５４は、紙幣処理装置２０における紙幣の入金処理等の処理履歴や、各紙幣回収袋３４に収納されている紙幣の在高等に関する情報をレシート等に印字するようになっている。また、制御部５０は通信インターフェース部５６を介して本実施の形態による紙幣処理装置２０とは別に設けられた外部装置（具体的には、例えば上位端末）に対して信号の送受信を行うことができるようになっている。具体的には、制御部５０は通信インターフェース部５６を介して記憶部５２に記憶されている情報を紙幣処理装置２０とは別に設けられた外部装置に送信することができるようになっている。例えば、警送会社の警備員等が紙幣回収袋３４ごと紙幣を回収する際に、回収された紙幣に関する情報が通信インターフェース部５６により警送会社のコンビュータ等に送信されるようになっている。
【００６１】
次に、本実施の形態の紙幣処理装置２０における入金処理、出金処理および回収処理の動作について簡単に説明する。入金処理とは、紙幣処理装置２０に設けられた投入部２１から筐体２０ａの内部に投入された紙幣に対して識別部２４により金種等の識別を行った後、この紙幣を例えば金種毎に収納繰出部２５に収納する処理のことである。また、出金処理とは、収納繰出部２５から繰り出された紙幣を、筐体２０ａの外部からアクセス可能となっている投出部２２に投出する処理のことである。また、回収処理とは、投入部２１から筐体２０ａの内部に投入された紙幣または収納繰出部２５から繰り出された紙幣を紙幣回収袋３４に送る処理のことである。
【００６２】
次に、本実施の形態による紙幣処理装置２０において、紙幣の反りを矯正するために設けられている反り矯正機構７０の回収処理における役割について説明する。後述するように、反り矯正機構７０は、当該反り矯正機構７０を通過する紙幣の反り癖の強さに応じて紙幣の反りを矯正するようになっている。このための前段階として、まず、各収納繰出部２５から搬送部２３に繰り出される紙幣の反り癖の強さの要因について以下に説明する。各収納繰出部２５から搬送部２３に繰り出される紙幣の反り癖の強さのこの要因として、例えば、紙幣の収納状況によるものと、紙幣の材質や寸法等によるものとが挙げられる。
【００６３】
紙幣の収納状況による、各収納繰出部２５から搬送部２３に繰り出された紙幣の反り癖の強さの要因について説明する。上述したように、各収納繰出部２５において、紙幣は略円筒形状のドラム２５ａの外周面に巻取部材２５ｂによって１枚ずつ巻き取られることにより収納されるようになっている。このため、ドラム２５ａを側面から見たとき（すなわち、図２において紙面に直交する方向から見たとき）の当該ドラム２５ａの中心（具体的には、回転軸心２５ｃ）から、巻取部材２５ｂによってドラム２５ａに巻き取られた紙幣までの距離は、ドラム２５ａに紙幣が巻き付けられた順番（より詳細には、ドラム２５ａに何番目に巻きつけられた巻取部材２５ｂにより収納された紙幣であるか）により異なるようになる。具体的には、例えばドラム２５ａに１番目に巻きとられた巻取部材２５ｂにより収納された紙幣よりも、ドラム２５ａに１０番目に巻きとられた巻取部材２５ｂにより収納された紙幣のほうが、ドラム２５ａの回転軸心２５ｃから、収納された紙幣までの距離は大きいものとなる。言い換えると、ドラム２５ａを側面からみたときの当該ドラム２５ａの回転軸心２５ｃから、巻取部材２５ｂによってドラム２５ａに巻き取られた紙幣までの距離が小さいほど、巻取部材２５ｂによってドラム２５ａに巻き取られた紙幣の曲率が大きくなる。このため、巻取部材２５ｂによってドラム２５ａに巻き取られた紙幣は強い反り癖を有するものとなる。
【００６４】
このように、ドラム２５ａを側面からみたときの当該ドラム２５ａの回転軸心２５ｃから、巻取部材２５ｂによってドラム２５ａに巻き取られた紙幣までの距離の大きさに応じて、巻取部材２５ｂによってドラム２５ａに巻き取られた紙幣の反り癖の強さは変化するようになっている。このため、異なる直径のドラム２５ａを有する各収納繰出部２５が用いられている場合には、各収納繰出部２５から搬送部２３に繰り出された紙幣の反り癖の強さは、各収納繰出部２５のドラム２５ａの直径によっても異なるようになる。すなわち、直径の比較的小さなドラム２５ａを用いた場合には、当該ドラム２５ａの回転軸心２５ｃと、巻取部材２５ｂによってドラム２５ａに巻き取られた紙幣との間の距離の平均値が小さく、巻取部材２５ｂによってドラム２５ａに巻き取られた紙幣の曲率が比較的大きくなる。このため、紙幣はより強く反った状態で収納されるようになる。このため、巻取部材２５ｂによって直径の比較的小さなドラム２５ａに巻き取られた紙幣は、平均的に見て強い反り癖を有するようになる。一方で、直径の比較的大きなドラム２５ａを用いた場合には、当該ドラム２５ａの回転軸心２５ｃと、巻取部材２５ｂによってドラム２５ａに巻き取られた紙幣との間の距離の平均値が大きく、巻取部材２５ｂによってドラム２５ａに巻き取られた紙幣の曲率が比較的小さくなる。このため、紙幣は比較的弱く反った状態で収納されるようになる。このため、巻取部材２５ｂによって直径の比較的大きなドラム２５ａに巻き取られた紙幣は、平均的に見て弱い反り癖を有するようになる。
【００６５】
また、各収納繰出部２５の構成（具体的には、ドラム２５ａの直径等）、各収納繰出部２５から搬送部２３に繰り出された紙幣に係る識別部２４により検知された情報（具体的には、当該紙幣の寸法、材質および印刷状態等）、および各収納繰出部２５から搬送部２３に繰り出された紙幣が当該収納繰出部２５に収納されていた時の状況（具体的には、ドラム２５ａの回転軸心２５ｃからの距離の大きさ、収納されていた時間の長さ等）が略同一であっても、巻取部材２５ｂの巻き付け強さが異なる場合には、ドラム２５ａに巻き付けられる巻取部材２５ｂの巻き付け強さが強いほど、各収納繰出部２５から搬送部２３に繰り出された紙幣は強い反り癖を有するようになる。
【００６６】
また、各収納繰出部２５の構成や設定（具体的には、ドラム２５ａの直径や巻取部材２５ｂの巻き強さの設定値等）が略同一であり、かつ各収納繰出部２５から搬送部２３に繰り出された紙幣に係る識別部２４により検知された情報が略同一であっても、各収納繰出部２５に収納されていた時間が比較的長い紙幣の方が、各収納繰出部２５に比較的短い時間収納されていた紙幣よりも、強い反り癖を有するようになる。
【００６７】
次に、紙幣の材質や寸法等による、各収納繰出部２５から搬送部２３に繰り出された紙幣の反り癖の強さの要因について説明する。より詳細には、紙幣の材質がポリマーを含むものである場合や、紙幣の材質がポリマーである場合には、ポリマーからなる紙幣およびポリマーを含む紙幣の方が紙のみからなる紙幣よりも反り癖がつきにくいようになっている。しかし、紙幣が反った状態で収納されること等により紙幣に反り癖がついてしまうと、この反り癖を矯正するために必要な外力は、紙のみからなる紙幣よりも大きくなるようになっている。すなわち、ポリマーを含む紙幣やポリマーからなる紙幣は、紙のみからなる紙幣よりも反り癖が強いものとなる。なお、ポリマーを含む紙幣やポリマーからなる紙幣がこのような性質を有しているため、比較的短い時間の間、各収納繰出部２５に収納されていたポリマーを含む紙幣やポリマーからなる紙幣の反り癖は、紙のみからなる紙幣よりも弱いものとなる。一方で、比較的長い時間の間、各収納繰出部２５に収納されていたポリマーを含む紙幣やポリマーからなる紙幣の反り癖は、紙のみからなる紙幣よりも強いものとなる。また、不正行為（例えば、紙幣の偽造等）を防止するために金属線が埋め込まれた紙幣も、紙のみからなる紙幣よりも反り癖が強いものとなる。また、紙幣の材質等にかかわらず、印刷に用いられているインクの材料や使用量により、紙幣につけられる反り癖の強さが異なる（例えば、印刷に用いるインクの量が多いほど紙幣の反り癖が強くなる等）ようになっている。
【００６８】
また、本実施の形態による紙幣処理装置２０においては、各収納繰出部２５に収納される紙幣の長手寸法（すなわち、紙幣の搬送方向における寸法）により、反り矯正機構７０による反りの矯正の度合いが調整されるようになっている。上述したように、各収納繰出部２５に収納される紙幣は、当該紙幣の長手方向（すなわち、搬送方向）と、各ドラム２５ａの周方向とが略一致するよう収納されるようになっている。このため、長手寸法の大きい紙幣は、長手寸法の小さい紙幣よりも強く反った状態で各収納繰出部２５に収納されるようになり、よって長手寸法の大きい紙幣は強い反り癖を有するようになる。
【００６９】
なお、搬送部２３が紙幣の短手方向に沿って紙幣を搬送するようになっている場合には、各収納繰出部２５において、紙幣の短手方向と、各ドラム２５ａの周方向とが略一致するよう紙幣が収納されるようになる。また、このとき、各収納繰出部２５に収納された紙幣は、当該紙幣の短手方向に沿った反り癖を有するようになる。また、短手寸法の大きい紙幣は、短手寸法の小さい紙幣よりも強く反った状態で各収納繰出部２５に収納されるようになり、よって短手寸法の大きい紙幣は強い反り癖を有するようになる。
【００７０】
次に、本実施の形態による紙幣処理装置２０において回収処理が行われる際の反り矯正機構７０の役割について説明する。より詳細には、紙幣の回収処理とは、上述したように、投入部２１により筐体２０ａの内部に紙幣処理装置２０に投入された紙幣、あるいは各収納繰出部２５から搬送部２３に繰り出された紙幣を紙幣収納機構３２により紙幣回収袋３４内に積層状態で収納させる処理のことである。ここで、紙幣処理装置２０における回収処理において回収されるべき紙幣として、３種類のものが挙げられる。すなわち、１つ目は各収納繰出部２５から搬送部２３に繰り出された紙幣であり、２つ目は紙幣受入ユニット２１ａを介して操作者により手動で投入された紙幣であり、３つ目は紙幣収納カセット２１ｃから搬送部２３に繰り出された紙幣である。
【００７１】
各収納繰出部２５から搬送部２３に繰り出された紙幣には、上述したように、当該紙幣の収納状況、寸法、材質等およびドラム２５ａの直径の大きさ、巻取部材２５ｂの巻き付け強さ等により異なった強さの反り癖がついている。また、本実施の形態による紙幣処理装置２０においては、上記の各収納繰出部２５から搬送部２３に繰り出された紙幣に係る情報等が記憶部５２に記憶されるようになっている。また、制御部５０が、記憶部５２に記憶された上記の情報に基づいて、反り矯正機構７０および搬送部２３による紙幣の搬送速度を制御するようになっている。このことにより、各収納繰出部２５から搬送部２３に繰り出された紙幣に対して反り矯正機構７０により適切な強さで紙幣の反りの矯正を行った後に、紙幣収納機構３２に送ることができるようになっている。
【００７２】
より詳細には、比較的反り癖の弱い紙幣（例えば、ドラム２５ａの回転軸心２５ｃからの距離が所定の閾値よりも大きい位置に収納されていた紙幣）の反りを反り矯正機構７０により矯正するときには、搬送部２３による紙幣の搬送速度を、入金処理時等における紙幣の搬送速度よりも遅い第１の所定の速度とするとともに、反り矯正機構７０の各上側ローラ７４を動作位置に位置させることにより、紙幣の反りを矯正するようになっている。このことにより、紙幣の反りを適切に矯正することができるようになり、よって反り矯正機構７０により紙幣の反りを矯正し過ぎることによる不利益（例えば、各下側ローラ７２および各上側ローラ７４によって紙幣に強すぎる癖をつけてしまい、集積部において集積不良が発生してしまうようになること等）が生じてしまうことを防止することができるようになる。なお、各収納繰出部２５から搬送部２３に繰り出された紙幣の反り癖の強さが、搬送部２３による紙幣の搬送速度を低下させなくても矯正可能なものであるときには、紙幣の搬送速度を低下させずに反り矯正機構７０を用いて紙幣の反りを矯正するようにしてもよい。
【００７３】
一方で、比較的反り癖の強い紙幣（例えば、ドラム２５ａの回転軸心２５ｃからの距離が所定の閾値よりも小さい位置に収納されていた紙幣）の反りを反り矯正機構７０により矯正するときには、例えば、搬送部２３による紙幣の搬送速度を、上記の第１の所定の速度よりも遅い第２の所定の速度とするとともに、反り矯正機構７０の各上側ローラ７４を動作位置に位置させることにより、紙幣の反りをより強く矯正するようになっている。このことにより、比較的反り癖の強い紙幣の反り癖を適切に矯正することができるようになり、よって反り矯正機構７０による紙幣の反りの矯正不足によって紙幣収納機構３２に集積される紙幣に集積不良が発生してしまうことを抑制することができるようになる。
【００７４】
なお、本実施の形態による紙幣処理装置２０においては、各収納繰出部２５に収納されていた紙幣のドラム２５ａの回転軸心２５ｃからの距離における閾値が１つのみ設定されているような態様に限られず、この閾値が複数設定されていてもよい。具体的には、ドラム２５ａの回転軸心２５ｃと、各収納繰出部２５の上限量まで紙幣を収納させたときに最後に収納される紙幣（すなわち、ドラム２５ａの回転軸心２５ｃから最も離れた位置に収納される紙幣）との間の距離を複数の区間に分け、当該複数の区間のうちある１つの区間に収納されていた紙幣に対して、当該区間に対応する所定の強さで紙幣の反りの矯正を行うようにする。なお、各収納繰出部２５から繰り出される紙幣が、ドラム２５ａの回転軸心２５ｃからの距離がある所定の閾値よりも小さい位置に収納されていた紙幣であるか否かについては、記憶部５２に記憶されている情報に基づいて判断することができる。
【００７５】
次に、紙幣受入ユニット２１ａを介して操作者により手動で筐体２０ａの内部に投入された紙幣の回収処理を行う場合について説明する。この場合には、原則として、投入された紙幣に対して反り矯正機構７０による紙幣の反りの矯正を行わずに、直接紙幣収納機構３２に送るようになっている。通常、操作者が手動で筐体２０ａの内部に投入する紙幣は、紙幣収納機構３２において集積させる際に集積不良を生じさせるほど反り癖を有していることはないためである。このことにより、反り矯正機構７０により紙幣の反りを矯正する場合と比較して、紙幣をより高速で搬送することができ、よって紙幣の処理効率を向上させることができるようになる。
【００７６】
次に、紙幣収納カセット２１ｃから繰り出された紙幣の回収処理を行う場合について説明する。紙幣収納カセット２１ｃから繰り出される紙幣には、反り癖を有するものと、反り癖を有さないものの２通りがある。このため、紙幣収納カセット２１ｃから繰り出された紙幣の回収処理を行う場合には、反り矯正機構７０により紙幣の反りの矯正を行うか否かについて、例えば操作表示部２９等により選択することができるようになっている。このことにより、紙幣収納カセット２１ｃから繰り出される反り癖を有さない紙幣をより高速で搬送することができるようになり、よって紙幣の処理効率を向上させることができるようになる。なお、紙幣収納カセット２１ｃから繰り出された紙幣の回収処理を行う場合に限らず、各収納繰出部２５から繰り出された紙幣の回収処理を行う場合や、操作者により手動で投入された紙幣の回収処理を行う場合にも、反り矯正機構７０による紙幣の反り癖の矯正を行うか否かについて選択することができるようになっていてもよい。また、紙幣収納カセット２１ｃから繰り出された紙幣の回収処理を行う場合、各収納繰出部２５から繰り出された紙幣の回収処理を行う場合および操作者により手動で投入された紙幣の回収処理を行う場合の全ての回収処理において、反り矯正機構７０による紙幣の反りの矯正を行うか否かについて操作表示部２９等により一括で設定することができるようになっていてもよい。
【００７７】
このように、本実施の形態による紙幣処理装置２０においては、各収納繰出部２５から搬送部２３に繰り出された紙幣について、当該紙幣の各収納繰出部２５における収納状況および識別部２４により検知された紙幣の特徴等の情報等に基づいて、反り矯正機構７０により紙幣の反りを矯正することができるようになっている。
【００７８】
また、本実施の形態による紙幣処理装置の他の例として、反り矯正機構７０を紙幣収納機構３２の近傍（図２参照）に設ける代わりに、図９に示す位置に設けるようにしてもよい。図９に示す例の紙幣処理装置２０ｐにおいては、反り矯正機構７０は、搬送部２３における投出部２２と紙幣収納機構３２との分岐箇所２３ｂよりも上流側に設けられている。あるいは、本実施の形態による紙幣処理装置の更に他の例として、図１０に示すように、反り矯正機構７０を紙幣収納機構３２の近傍に設けるとともに、投出部２２の近傍にも反り矯正機構７０を設けるような紙幣処理装置２０ｑを用いてもよい。図９および図１０に示す例の紙幣処理装置２０ｐ、２０ｑにおいても、紙幣の回収処理を行う際に紙幣処理装置２０について上述した効果と略同一の効果を奏することができるようになる。
【００７９】
また、図９および図１０に示す例の紙幣処理装置２０ｐ、２０ｑにおいては、出金処理の際に、各収納繰出部２５から搬送部２３に繰り出された紙幣に対して反り矯正機構７０により反りの矯正を行った後、投出部２２に集積させることができるようになっている。また、出金処理により一度に投出される紙幣の枚数（例えば、数十枚程度）は、上述した回収処理において紙幣収納機構３２に送られる紙幣の枚数（例えば、数百枚程度）と比較して少ないため、投出部２２に投出された紙幣が反り癖を有するものであっても、集積不良が起こる可能性は低い。このため、反り矯正機構７０による紙幣の反りの矯正の度合いは、出金処理を行うときよりも、回収処理を行うときの方が強くなるよう制御部５０により調整されるようになっている。
【００８０】
また、本実施の形態による紙幣処理装置２０、２０ｐ、２０ｑにおいては、投入部２１により筐体２０ａの内部に投入された紙幣を搬送部２３により搬送する場合よりも、各収納繰出部２５から繰り出された紙幣を搬送部２３により搬送する場合の方が反り矯正機構７０による紙幣の反りの矯正の度合いが大きくなるようになっている。このことにより、反り矯正機構７０を通過する全ての紙幣に対し、当該反り矯正機構７０により略同一の強さで紙幣の反りを矯正する場合と比較して、紙幣をより高速で搬送することができ、よって紙幣の処理効率を向上させることができるようになる。
【００８１】
また、図１１に示すように、本実施の形態による紙幣処理装置の更に他の例として、投出部２２の代わりに、帯封媒体により帯封されるべき紙幣が一時的に集積される、集積部として機能する帯封用一時保留部８０が設けられているような紙幣処理装置２０ｒが用いられてもよい。また、図１１に示す例の紙幣処理装置２０ｒにおいては、反り矯正機構７０は、搬送部２３における紙幣収納機構３２の近傍の位置と、帯封用一時保留部８０の近傍の位置とにそれぞれ設けられている。このことにより、帯封媒体により帯封されるべき紙幣が一時的に集積される帯封用一時保留部８０に、反り矯正機構７０により紙幣の反りが矯正された後の紙幣を集積することができるようになる。また、図１１に示す例の紙幣処理装置２０ｒは、帯封用一時保留部８０に一時的に集積された紙幣を帯封するための帯封装置８００とともに用いられるようになっている。より詳細には、帯封装置８００は、帯封用一時保留部８０に集積された所定枚数（例えば、１００枚）の紙幣の束を帯封装置８００に搬送するための搬送アーム８１０と、帯封部８２０とを有している。また、搬送アーム８１０により搬送された紙幣の束を帯封部８２０で帯封することにより、帯封紙幣を作製するようになっている。このことにより、反り矯正機構７０により反り癖が矯正された後に、帯封用一時保留部８０に集積された所定枚数の紙幣の束を帯封装置８００により帯封することができるようになる。
【００８２】
なお、本実施の形態による紙幣処理装置は、上記の態様に限定されることはなく、様々な変更を加えることができる。
【００８３】
例えば、本実施の形態による紙幣処理装置２０、２０ｐ、２０ｑ、２０ｒにおいて、反り矯正機構として、上述した各下側ローラ７２および各上側ローラ７４等からなる反り矯正機構７０が用いられる代わりに、他の構成の反り矯正機構が用いられるようになっていてもよい。例えば、このような反り矯正機構として、熱を用いたものが用いられるようになっていてもよい。具体的には、搬送部２３を搬送される紙幣に対してアイロン等の加熱部材を接触させることによりこの紙幣の反りを矯正するようにしてもよいし、搬送部２３から離間した位置に設けられた送風部材から紙幣に向かって熱風等を吹き付けることにより、紙幣の反りを矯正するようにしてもよい。
【００８４】
また、反り矯正機構７０における各下側ローラ７２および各上側ローラ７４は、軸７１および軸７３にそれぞれ設けられた一対のものに限られることはない。例えば、各下側ローラおよび各上側ローラがそれぞれ３つ以上設けられている場合にも、反り矯正機構により紙幣の反りを矯正することができるようになる。
【００８５】
また、本実施の形態による紙幣処理装置の更に他の例として、図１２に示すようなものが用いられてもよい。図１２は、本実施の形態による紙幣処理装置の更に他の例の内部構成を示す側面図である。図１２に示す例の紙幣処理装置１００は、略直方体形状の筐体１０１ａを有している。また、図１２に示す例の紙幣処理装置１００は、上部ユニット１０２および下部ユニット１０３を有しており、上部ユニット１０２には、筐体１０１ａの外部から内部に紙幣を投入するための紙幣投入部１１０と、紙幣投入部１１０により筐体１０１ａの内部に投入された紙幣を搬送する搬送部１１２と、搬送部１１２に設けられ、当該搬送部１１２により搬送される紙幣を識別する識別部１１４と、筐体１０１ａの内部から外部に紙幣を投出するための紙幣投出部１１６とがそれぞれ設けられている。また、識別部１１４は、搬送部１１２により搬送される紙幣の金種、真偽、正損、新旧、表裏、搬送状態等の識別を行うようになっている。識別部１１４により識別された紙幣は搬送部１１２によって後述する各収納繰出部１２０に例えば金種毎に送られるようになっている。
【００８６】
また、図１２に示すように、搬送部１１２は上部ユニット１０２および下部ユニット１０３をまたがるよう設けられており、下部ユニット１０３において搬送部１１２には複数（図１２に示す例では４つ）の収納繰出部１２０が接続されている。また、各収納繰出部１２０は、搬送部１１２から送られた紙幣を収納するとともに、収納されている紙幣を１枚ずつ搬送部１１２に繰り出すことができるようになっている。より詳細には、４つの収納繰出部１２０のうち最も上側の収納繰出部１２０および最も下側の収納繰出部１２０は、それぞれ、１つのドラム１２２ａが設けられた紙幣収納機構１２２を有しており、搬送部１１２から送られた紙幣を１枚ずつ一対の帯状の巻取部材の間に挟み込んだ状態で当該巻取部材によって紙幣をドラム１２２ａに巻き取るようになっている。また、ドラム１２２ａが巻取部材の巻き取り方向とは逆方向に回転すると、当該ドラム１２２ａから巻取部材が巻き出されることにより一対の巻取部材の間に挟まれている紙幣が搬送部１１２に１枚ずつ繰り出されるようになる。また、４つの収納繰出部１２０のうち上から２番目の収納繰出部１２０および上から３番目の収納繰出部１２０は、それぞれ、紙幣の最大収納容量が互いに異なる２つの紙幣収納機構１２４、１２６を有しており、各紙幣収納機構１２４、１２６にはそれぞれドラム１２４ａ、１２６ａが設けられている。具体的には、各紙幣収納機構１２４、１２６において、搬送部１１２から送られた紙幣を１枚ずつ一対の巻取部材間に挟み込んだ状態で当該巻取部材によって紙幣をドラム１２４ａ、１２６ａに巻き取るようになっている。また、ドラム１２４ａ、１２６ａが巻取部材の巻き取り方向とは逆方向に回転すると、当該ドラム１２４ａ、１２６ａから巻取部材が巻き出されることにより一対の巻取部材の間に挟まれている紙幣が搬送部１１２に１枚ずつ繰り出されるようになる。
【００８７】
また、下部ユニット１０３において搬送部１１２にはカセット装着部１４０が設けられており、このカセット装着部１４０は、各収納繰出部１２０に収納された紙幣を回収する際に用いられるようになっている。より具体的には、カセット装着部１４０には、紙幣を積層状態で収納する紙幣回収カセット１４２が着脱自在に装着可能となっており、各収納繰出部１２０から搬送部１１２を経てカセット装着部１４０に送られた紙幣が紙幣回収カセット１４２の内部に収納されるようになっている。
【００８８】
また、搬送部１１２におけるカセット装着部１４０の近傍には、上述した反り矯正機構７０と略同一の構成を有する反り矯正機構１７０が設けられている。より詳細には、図１２に示す例の紙幣処理装置においては、反り矯正機構１７０は、上述した反り矯正機構７０と同様に、位置固定の軸に回転自在となるよう設けられた、溝部を有する一対の各下側ローラと、上記の軸と平行に延びる移動自在の軸に回転自在となるよう設けられた一対の各上側ローラとを有している。また、各上側ローラと、各下側ローラとの間に紙幣が挟まれることにより紙幣の反り癖が矯正されるようになっている。このことにより、各収納繰出部１２０から繰り出された反り癖を有する紙幣の反り癖を矯正した後に、カセット装着部１４０に送ることができるようになり、よってカセット装着部１４０に装着された紙幣回収カセット１４２において紙幣の集積不良が発生してしまうことを抑制することができるようになる。
【００８９】
ここで、各ドラム１２２ａ、１２６ａは、図１２における紙面に直交する方向から見て反時計回りに回転するときに巻取部材によって紙幣を巻き取ることにより当該紙幣を収納するようになっている。一方、各ドラム１２４ａは、図１２における紙面に直交する方向から見て時計回りに回転するときに巻取部材によって紙幣を巻き取ることにより当該紙幣を収納するようになっている。すなわち、各ドラム１２２ａ、１２６ａに収納される紙幣と、各ドラム１２４ａに収納される紙幣との間では、収納された紙幣に反対向きの反り癖がつけられるようになる。しかしながら、反り矯正機構１７０が上記の構成となっていることにより、各収納繰出部１２０から繰り出された紙幣の有する反り癖の向きにかかわらず、当該紙幣の反り癖を反り矯正機構１７０により矯正することができるようになっている。
【００９０】
また、図１２に示す例の紙幣処理装置１００においては、反り矯正機構１７０が設けられていない場合であっても、紙幣回収カセット１４２において紙幣の集積不良が生じてしまうことを抑制することができるようになっている。このことについて、以下に具体例とともにより詳細に説明する。
【００９１】
例えば、各収納繰出部１２０の各紙幣収納機構１２２、１２４、１２６に、少なくとも１枚の紙幣が収納されている状態において、まず、あるドラム（例えば、上から１番目の収納繰出部１２０のドラム１２２ａ）に巻取部材によって巻き取られることにより収納されている紙幣をカセット装着部１４０に送り、この紙幣を紙幣回収カセット１４２に集積させる。なお、このとき、上から１番目の収納繰出部１２０から繰り出された紙幣は反り癖を有しているが、全て同じ向きの反り癖を有する紙幣であるため、紙幣回収カセット１４２において集積不良が生じる可能性は低い。
【００９２】
次に、他のドラム（例えば、上から４番目の収納繰出部１２０のドラム１２２ａ）に巻取部材によって巻き取られることにより収納されている、所定の向きの反り癖を有する紙幣を搬送部１１２に繰り出す。そして、この搬送部１１２に繰り出された紙幣を、上から１番目の収納繰出部１２０のドラム１２２ａに巻取部材によって巻き取らせることにより収納させる。このことにより、上記の所定の向きの反り癖を有する紙幣を、その反り癖の向きとは反対向きとなるように反った状態で、上から１番目の収納繰出部１２０に収納させることができるようになる。より詳細に説明すると、図１２における紙面に直交する方向から見て、上から１番目の収納繰出部１２０に収納されている紙幣につけられる反り癖の向きと、上から４番目の収納繰出部１２０に収納されている紙幣につけられる反り癖の向きは同一である。しかし、上から４番目の収納繰出部１２０から繰り出された紙幣が上から１番目の収納繰出部１２０に収納されるときに、紙幣の表裏が反転するようになっているため、上から４番目の収納繰出部１２０から繰り出された紙幣は、当該紙幣の有する反り癖の向きとは反対向きとなるように反った状態で、上から１番目の収納繰出部１２０に収納されるようになる。このため、上から４番目の収納繰出部１２０から繰り出された紙幣の反り癖を矯正することができるようになる。このことにより、各収納繰出部１２０から繰り出された紙幣の反り癖を矯正した後にカセット装着部１４０に送ることができるようになり、よってカセット装着部１４０に装着された紙幣回収カセット１４２において紙幣の集積不良が発生してしまうことを抑制することができるようになる。
【００９３】
そして、上から２番目の収納繰出部１２０の紙幣収納機構１２６に収納されていた紙幣および上から３番目の収納繰出部１２０の紙幣収納機構１２６に収納されていた紙幣を、上から１番目の収納繰出部１２０の紙幣収納機構１２２に送ることにより、各紙幣収納機構１２６に収納されていた紙幣の反り癖を矯正した後に、カセット装着部１４０に送るようにする。
【００９４】
一方、上から２番目の収納繰出部１２０の紙幣収納機構１２４に収納されていた紙幣および上から３番目の収納繰出部１２０の紙幣収納機構１２４に収納されていた紙幣の反り癖を矯正する場合には、各紙幣収納機構１２４に収納されていた紙幣を一度紙幣収納機構１２６に送り、その後に紙幣収納機構１２６から紙幣収納機構１２２に紙幣を送ることによって、各紙幣収納機構１２４に収納されていた紙幣の反り癖を紙幣収納機構１２２により矯正するようになっている。そして、紙幣収納機構１２２により反り癖の矯正された後の紙幣を、カセット装着部１４０に送るようになっている。このように、図１２に示す例の紙幣処理装置においては、反り矯正機構１７０が設けられていない場合であっても、上から２番目〜４番目の収納繰出部１２０に収納されている紙幣の反り癖を矯正した後でカセット装着部１４０に紙幣を送ることができるようになっている。
【００９５】
なお、必ずしも上から１番目の収納繰出部１２０の紙幣収納機構１２２を用いて上記の方法による紙幣の反り癖を矯正する必要はない。例えば、紙幣の回収処理を開始するときに、各紙幣収納機構１２２、１２４、１２６のうち、最も紙幣の収納量の少ない紙幣収納機構に収納されている紙幣をカセット装着部１４０に送り、その後、他の各紙幣収納機構１２２、１２４、１２６に収納されている紙幣を、この空になった紙幣収納機構に送ることにより、他の各紙幣収納機構１２２、１２４、１２６に収納されている紙幣の反り癖を矯正するようになっていてもよい。また、紙幣の回収処理を開始するときに、各紙幣収納機構１２２、１２４、１２６のうち、空の紙幣収納機構がある場合には、この空の紙幣収納機構を用いて他の各紙幣収納機構１２２、１２４、１２６に収納されている紙幣の反り癖を矯正するようにする。なお、このような運用を行う場合には、カセット装着部１４０に送られる反り癖を有する紙幣の枚数を極力少なくすることができるようになるため、カセット装着部１４０に装着された紙幣回収カセット１４２において紙幣の集積不良が発生してしまうことをさらに抑制することができるようになる。
【００９６】
また、図１２に示す例の紙幣処理装置１００の他の運用方法として、例えば各紙幣収納機構１２２、１２４、１２６のうちある１つの紙幣収納機構を紙幣の精査用に用いることとし、紙幣の精査処理を行うとき以外には当該紙幣収納機構に紙幣を収納させないようになっていてもよい。この場合には、各収納繰出部１２０に収納されている全ての紙幣の反り癖を精査用の紙幣収納機構により矯正した後に、カセット装着部１４０に送ることができるようになる。
【００９７】
なお、図１２に示す例の紙幣処理装置においては、反り矯正機構１７０が設けられておらず、各収納繰出部１２０から繰り出された紙幣を直接カセット装着部１４０に送る場合であっても、以下の方法によってカセット装着部１４０に装着された紙幣回収カセット１４２において集積不良が発生してしまうことを抑制することができるようになっている。より詳細には、各収納繰出部１２０に収納されている紙幣のうち、所定の向きの反り癖を有する紙幣（例えば、各紙幣収納機構１２２、１２６に収納されている紙幣）を全てカセット装着部１４０に送った後に、各収納繰出部１２０に収納されている紙幣のうち、上記の所定の向きとは反対向きの反り癖を有する紙幣（具体的には、各紙幣収納機構１２４に収納されている紙幣）をカセット装着部１４０に送るようになっている。すなわち、所定の向きの反り癖を有する紙幣をまとめて集積させ、その後に上記の所定の向きとは反対向きの反り癖を有する紙幣をまとめて紙幣回収カセット１４２に集積させることにより、異なった向きの反り癖を有する紙幣をまとめずに回収処理を行う場合と比較して、当該紙幣回収カセット１４２において集積不良が発生してしまうことを抑制することができるようになっている。
【００９８】
また、本実施の形態による紙幣処理装置の更に他の例として、図１３に示すようなものが用いられてもよい。図１３は、本実施の形態による紙幣処理装置の更に他の例の内部構成を示す側面図である。図１３に示す例の紙幣処理装置２１０は、筐体２１２と、筐体２１２内へ紙幣を投入するための投入部２２０と、筐体２１２外へ紙幣を投出するための投出部２２２とを備えている。投入部２２０は、バラ紙幣を筐体２１２の外部から内部に投入するための投入口を有している。また、投出部２２２は、バラ紙幣を筐体２１２の内部から外部に投出するための投出口を有している。また、投入部２２０は、当該投入部２２０に投入された紙幣を１枚ずつ後述する搬送部２２４に繰り出す繰出機構２２０ａが設けられている。図１３に示すように、紙幣処理装置２１０において筐体２１２内には搬送部２２４が設けられており、当該搬送部２２４によって、投入部２２０により筐体２１２内に投入された紙幣が筐体２１２内で１枚ずつ搬送されるようになっている。また、搬送部２２４には識別部２２６が設けられており、この識別部２２６によって、搬送部２２４により搬送される紙幣の金種、真偽、正損、新旧等が識別されるようになっている。
【００９９】
また、筐体２１２内において複数の収納繰出部２２８が設けられており、各収納繰出部２２８はそれぞれ搬送部２２４に接続されている。各収納繰出部２２８は、投入部２２０により筐体２１２内に投入され識別部２２６により識別された紙幣を金種別に収納するようになっている。より詳細には、識別部２２６による識別結果に基づいて、紙幣は搬送部２２４により各収納繰出部２２８に金種別に送られるようになっている。また、各収納繰出部２２８は、当該収納繰出部２２８に収納された紙幣を１枚ずつ搬送部２２４に繰り出すことができるようになっている。ここで、各収納繰出部２２８は、紙幣を１枚ずつ一対の帯状の巻取部材間に挟み込んだ状態で当該巻取部材によって紙幣を巻き取る収納繰出部となっている。
【０１００】
また、図１３に示すように、筐体２１２内においてカセット装着部２４０が設けられている。このカセット装着部２４０には、図１４に示すような紙幣回収カセット２４４が着脱自在に収容されるようになっている。また、図１４に示すように、紙幣回収カセット２４４には、複数の紙幣（図１４において参照符号Ｐで表示）が積層状態で集積される集積部２４４ａが設けられている。このため、紙幣回収カセット２４４がカセット装着部２４０に装着されたときに、紙幣処理装置２１０の搬送部２２４から紙幣回収カセット２４４に送られた紙幣は集積部２４４ａに積層状態で集積されるようになる。また、紙幣回収カセット２４４には紙幣繰出機構（図示せず）が設けられており、この紙幣繰出機構により紙幣回収カセット２４４の集積部２２４ａに積層された紙幣を１枚ずつ搬送部２２４に繰り出すことができるようになっている。
【０１０１】
また、カセット装着部２４０には上述した紙幣収納カセット２１ｃも装着することができるようになっている。このため、本実施の形態による紙幣処理装置２０と、図１４に示す紙幣処理装置２１０との間（すなわち、互いに異なる紙幣処理装置の間）において、紙幣収納カセット２１ｃや紙幣回収カセット２４４を用いた紙幣の受け渡しを行うことができるようになっている。なお、紙幣収納カセット２１ｃが収納繰出部２５と略同一の構成を有するものである場合には、紙幣収納カセット２１ｃにおいて紙幣が反った状態で収納されるようになっているため、当該紙幣収納カセット２１ｃから繰り出される紙幣は比較的強い反り癖を有するようになる。
【０１０２】
また、搬送部２２４におけるカセット装着部２４０の近傍には、上述した反り矯正機構７０と略同一の構成を有する反り矯正機構２７０が設けられている。より詳細には、図１３に示す例の紙幣処理装置２１０においては、反り矯正機構２７０は、上述した反り矯正機構７０と同様に、位置固定の軸に回転自在となるよう設けられた溝部を有する一対の各下側ローラと、上記の軸と平行に延びる移動自在の軸に回転自在となるよう設けられた一対の各下側ローラ各上側ローラとを有している。また、これらの各上側ローラおよび各下側ローラに紙幣が挟まれることにより紙幣の反り癖が矯正されるようになっている。このことにより、各収納繰出部２２８から繰り出された紙幣の反り癖を矯正した後に、カセット装着部２４０に装着された紙幣回収カセット２４４に設けられた集積部２４４ａに集積させることができるようになり、よって紙幣回収カセット２４４に設けられた集積部２４４ａにおいて紙幣の集積不良が発生してしまうことを抑制することができるようになる。
【０１０３】
なお、カセット装着部２４０に装着された紙幣収納カセット２１ｃまたは紙幣回収カセット２４４から紙幣を繰り出す場合には、これらのカセットから繰り出される紙幣の反り癖の強さに応じて、反り矯正機構２７０による紙幣の反りの矯正の度合いを変更するようにしてもよい。より詳細には、例えば、紙幣収納カセット２１ｃから繰り出された紙幣の反り癖の方が、紙幣回収カセット２４４から繰り出された紙幣の反り癖よりも強い反り癖を有している可能性が高い。このため、反り矯正機構２７０による紙幣の反りの矯正の度合いを、紙幣収納カセット２１ｃから繰り出された紙幣に対しては比較的強くし、紙幣回収カセット２４４から繰り出された紙幣に対しては比較的弱くすることにより、適切な強さで紙幣の反りの矯正を行うことができるようになる。
【０１０４】
また、本実施の形態による紙幣処理装置２０、２０ｐ、２０ｑ、２０ｒおよび上述した他の例に係る紙幣処理装置１００、２１０において、反り矯正機構７０、１７０、２７０等を設ける代わりに、あるいは反り矯正機構７０、１７０、２７０等を設けるとともに、搬送部の一部を分岐させ、湾曲させた形状とすることにより、当該湾曲させた部分を搬送される紙幣の反り癖を矯正することができるようになっていてもよい。具体的には、図１５に示すように、搬送部３２３を、上側に凸となるよう湾曲した上側搬送部３２３ａと、下側に凸となるよう湾曲した下側搬送部３２３ｂと、湾曲していない搬送部部分３２３ｃとに分けることによって、このような機能を実現することができる。より詳細には、図１５において搬送部３２３を左側から右側に向かって（すなわち、図１５に示す矢印の方向に向かって）搬送される紙幣が、図１５における紙面に直交する方向から見て下側に凸である反り癖を有している場合には、当該紙幣を上側搬送部３２３ａを通過させることにより、紙幣の反りを矯正するようにする。一方で、図１５において搬送部３２３を左側から右側に向かって搬送される紙幣が、図１５における紙面に直交する方向から見て上側に凸である反り癖を有している場合には、当該紙幣を下側搬送部３２３ｂを通過させることにより、紙幣の反りを矯正するようにする。なお、湾曲していない搬送部部分３２３ｃは、弱い反り癖を有している紙幣や、反り癖を有していない紙幣に反り癖がついてしまうことを防止するために設けられている。
【０１０５】
また、本実施の形態による紙幣処理装置２０、２０ｐ、２０ｑ、２０ｒおよび上述した他の例に係る紙幣処理装置１００、２１０において、紙幣の表裏を反転させる表裏反転機構が設けられていてもよい。この場合には、ある収納繰出部から繰り出された所定の向きの反り癖を有する紙幣を、表裏反転機構により反転した後に、当該収納繰出部に再度収納させることができるようになる。このことにより、所定の向きの反り癖を有する紙幣を、上記の所定の向きとは反対の向きに反った状態で紙幣を収納させることができ、よって紙幣の反りを矯正することができるようになる。
【０１０６】
なお、本発明に係る紙葉類処理装置は紙幣以外の紙葉類（例えば、小切手および商品券等）の処理を行うものであってもよい。この場合であっても、収納繰出部から繰り出された紙葉類の反りを反り矯正機構によって矯正することにより、集積部において紙葉類の集積不良が生じてしまうことを抑制することができるようになる。
【符号の説明】
【０１０７】
１        貨幣処理機
２０、２０ｐ、２０ｑ、２０ｒ    紙幣処理装置
２０ａ    筐体
２１      投入部
２１ａ    紙幣受入ユニット
２１ｂ    紙幣繰出機構
２１ｃ    紙幣収納カセット
２２      投出部
２２ａ    羽根車
２２ｂ    羽根車駆動部
２３      搬送部
２３ａ    端部
２３ｂ    分岐箇所
２４      識別部
２５      収納繰出部
２５ａ    ドラム
２５ｂ    巻取部材
２５ｃ    回転軸心
２７      機外リジェクト部
２８      機内リジェクト部
２９      操作表示部
３２      紙幣収納機構
３４      紙幣回収袋
３４ａ    突出部
３４ｂ    開口
３４ｃ    目印
３６      保持部材
３６ａ    ピン
３６ｋ    枠体
３６ｐ    ガイドピン
３６ｑ    長穴
３７      パンタグラフ
３８      加熱部材
３９      レバー
３９ａ    レバー駆動部
４０      ステージ
４１      ステージ駆動部
４２      加熱部材
４４      一時保留部
４４ａ    軸
４６      押し込み板
４７      パンタグラフ
４８      紙幣送り出し部
５０      制御部
５２      記憶部
５４      印字部
５６      通信インターフェース部
６０      撮像部
６２      光源
７０      反り矯正機構
７１      軸
７２      下側ローラ
７２ａ    溝部
７３      軸
７４      上側ローラ
７５      移動機構
８０      帯封用一時保留部
９０      硬貨処理装置
１００    紙幣処理装置
１０１ａ  筐体
１０２    上部ユニット
１０３    下部ユニット
１１０    紙幣投入部
１１２    搬送部
１１４    識別部
１１６    紙幣投出部
１２０    収納繰出部
１２２    紙幣収納機構
１２２ａ  ドラム
１２４    紙幣収納機構
１２４ａ  ドラム
１２６    紙幣収納機構
１２６ａ  ドラム
１４０    カセット装着部
１４２    紙幣回収カセット
１７０    反り矯正機構
２１０    紙幣処理装置
２１２    筐体
２２０    投入部
２２０ａ  繰出機構
２２２    投出部
２２４    搬送部
２２６    識別部
２２８    収納繰出部
２４０    カセット装着部
２４４    紙幣回収カセット
２４４ａ  集積部
２７０    反り矯正機構
３２３    搬送部
３２３ａ  上側搬送部
３２３ｂ  下側搬送部
３２３ｃ  搬送部部分
８００    帯封装置
８１０    搬送アーム
８２０    帯封部
【図１】
2018142204.tif 000003
【図２】
2018142204.tif 000004
【図３】
2018142204.tif 000005
【図４】
2018142204.tif 000006
【図５】
2018142204.tif 000007
【図６】
2018142204.tif 000008
【図７】
2018142204.tif 000009
【図８】
2018142204.tif 000010
【図９】
2018142204.tif 000011
【図１０】
2018142204.tif 000012
【図１１】
2018142204.tif 000013
【図１２】
2018142204.tif 000014
【図１３】
2018142204.tif 000015
【図１４】
2018142204.tif 000016
【図１５】
2018142204.tif 000017